(57)【特許請求の範囲】
【請求項１】
池用のコンテナ状容器及び底部から順に骨材層と土壌層が形成され前記骨材層と土壌層との間が透水性シートで分離された植栽用のコンテナ状容器からなる複数のコンテナ状容器を隣接して設置し、前記隣接するコンテナ状容器の壁の一部に切欠部を形成してこの切欠部に沿って切欠部用結合部材で相互に連結して、前記植栽用のコンテナ状容器間を連結する前記切欠部用結合部材上に土壌層を形成すると共に、前記池用のコンテナ状容器の上部壁面と前記植栽用のコンテナ状容器の下部壁面との間に通水管を設けて、前記池用のコンテナ状容器のオーバーフロー水を植栽用のコンテナ状容器内に前記通水管を通して潅水することを特徴とするユニット型ビオトープ用潅水システム。
【請求項２】
前記下部壁面で通水管の反対側に排水口を設け、前記骨材層に余剰に貯留された水を排水するように構成したことを特徴とする請求項１記載のユニット型ビオトープ用潅水システム。
【請求項３】
前記コンテナ状容器の透水性シートの上側壁面にオーバーフロー排水口を設け、前記骨材層に余剰に供給された水をオーバーフローさせることを特徴とする請求項１または２記載のユニット型ビオトープ用潅水システム。
【発明の詳細な説明】
【０００１】
【発明の属する技術分野】
本発明は、ユニット型ビオトープのための潅水システムに関する。
【０００２】
【従来の技術】
近年、身近な動植物の生息空間の創出や都市環境の改善を目的として、いわゆるビオトープの創出へのニーズが増大している。とくに、ビオトープ創出のために有効なスペースを確保することが困難な都市域では、建築物の屋上や、ベランダ、バルコニーなどの限られた空間で効果的な緑化空間を形成するための緑化手法が多様に考案されており、その中のひとつとして簡易設置型のユニット型ビオトープが知られている。
【０００３】
一方、植物の健全で持続的な生育のためには、生息環境を創出、維持するための設備、とくに植物にとって最も重要な水分を供給するための潅水設備が重要となる。従って、限られた空間での安価かつ効率的なビオトープ創出を目的とした簡易設置型のユニット型ビオトープにおいても、その特徴に合わせた効率的な潅水機能の付加が求められる。
【０００４】
【発明が解決しようとする課題】
ここで、従来の建築物緑化方式における潅水、排水設備は、以下のような問題から、簡易設置型のユニット型ビオトープへの適用は難しく、より簡易で実用的な潅水システムの構築が課題となっている。
▲１▼比較的大きな規模の一体的な空間を必要とし、多大な費用が必要になる。
▲２▼コンテナ状容器のような個別で複数の小さな空間の中に均等に潅水することが困難である。
▲３▼各コンテナ状容器への人為的な潅水は、多大な手間、人的コストがかかるとともに、水使用量が増大する。
【０００５】
本発明は、上記の課題および問題を解決するものであって、個別のコンテナ状容器内に均等にかつ効率的に水を供給することができるとともに、潅水の省力化を図ることができるユニット型ビオトープ用潅水システムを提供することを目的とする。
【０００６】
【課題を解決するための手段】
そのために本発明は、池用のコンテナ状容器及び底部から順に骨材層と土壌層が形成され前記骨材層と土壌層との間が透水性シートで分離された植栽用のコンテナ状容器からなる複数のコンテナ状容器を隣接して設置し、前記隣接するコンテナ状容器の壁の一部に切欠部を形成してこの切欠部に沿って切欠部用結合部材で相互に連結して、前記植栽用のコンテナ状容器間を連結する前記切欠部用結合部材上に土壌層を形成すると共に、前記池用のコンテナ状容器の上部壁面と前記植栽用のコンテナ状容器の下部壁面との間に通水管を設けて、前記池用のコンテナ状容器のオーバーフロー水を植栽用のコンテナ状容器内に前記通水管を通して潅水することを特徴とし、また、前記下部壁面で通水管の反対側に排水口を設け、前記骨材層に余剰に貯留された水を排水するように構成したことを特徴とし、前記コンテナ状容器の透水性シートの上側壁面にオーバーフロー排水口を設け、前記骨材層に余剰に供給された水をオーバーフローさせることを特徴とする。
【０００７】
【発明の実施の形態】
以下、本発明の実施の形態を図面を参照しつつ説明する。図１は、本発明が適用されるユニット型ビオトープの１例を示す全体斜視図である。
【０００８】
本発明に係わるビオトープは、水生生物を生息させるための池用のコンテナ状容器１と、この池用のコンテナ状容器１の周囲に沿って配設され、植栽空間を形成するための複数の植栽用のコンテナ状容器２とから構成されている。なお、コンテナ状容器１、２の組み合わせはこれに限定されるものではなく、単一または複数を任意に組み合わせることにより、移動可能な簡易設置型のビオトープを実現することができる。
【０００９】
図２は、図１のコンテナ状容器１、２の斜視図である。容器としては樹脂製または鋼製等の、上部が開放され底部が水密性のものを採用する。容器の平面形状は矩形（一辺長を他の辺長の整数倍とすることにより、多様な並べ方を可能とする）、六角形、三角形等とし、これらを連結して配置することにより、全体形状の可変度の高い連続的な植生基盤を形成する。コンテナ状容器１、２の底部には一対の凹溝ｍが形成されており、この凹溝ｍにフォークリフトのフォークを差し込んでコンテナ状容器の運搬をするようにしている。なお、凹溝ｍの代わりに、台車または車輪等と一体化し容易な移動が可能な形態を持たせるようにしてもよい。
【００１０】
図３は、複数の植生用のコンテナ状容器２同士の結合方法を示す図である。隣接するコンテナ状容器の壁に樋状の歩行路用結合部材３ａを差し込んで、管理、鑑賞用に人が歩くことができるようにする。また、コンテナ状容器の壁の一部に切欠部ｋを形成し、この切欠部ｋに沿って切欠部用結合部材３ｂを差し込んで、結合部材３ｂ上にも土壌層を形成するようにし、図示点線で示すように、土壌空間の連続性を保ち土壌生物等のコンテナ状容器間の移動を確保している。
【００１１】
なお、池用のコンテナ状容器１同士も歩行路用結合部材３ａや切欠部用結合部材３ｂで連結し、管理、鑑賞用に人が歩くことができるようにするとともに、水生生物等のコンテナ状容器間の移動を可能にしてもよい。
【００１２】
図４は、本発明のユニット型ビオトープ用潅水システムの１実施形態を示す断面図である。
【００１３】
池用のコンテナ状容器１と植栽用のコンテナ状容器２の上端は、歩行路用結合部材３ａで連結されている。歩行路用結合部材３ａおよび壁部材５の上面並びに容器の他の壁上には、表面に適度な凹凸もしくは粗度を備えたヤシガラ等の繊維質材料からなるマット部材４が敷設され、マット部材４の一端は植栽用のコンテナ状容器２内に、他端は池用のコンテナ状容器２内に延設されている。なお、隣接するコンテナ状容器が植栽用のコンテナ状容器２の場合には、マット部材４の両端はコンテナ状容器２内に延設されている。このマット部材４は、ビオトープ空間の景観に配慮し、また、池に落ちた生物が這い上がれるようにするとともに、コンテナ状容器間の移動を容易にさせている。
【００１４】
また、池用コンテナ状容器１の上部と植栽用コンテナ状容器２の下部との間に通水管５が設けられ、植栽用コンテナ状容器２の壁面で、透水性シート１０（後述）の上部にはオーバーフロー排水口６が形成され、さらに、植栽用コンテナ状容器２の下部壁面で通水管５の反対側に排水口７が形成されている。
【００１５】
植栽用コンテナ状容器２内には、底部から順に、人工骨材層からなる骨材層９、透水性シート１０、人工軽量土壌層１１および畑土等の正常の土壌層１２からなる土壌層が形成され、骨材層９と土壌層（１１、１２）は透水性シート１０により分離されている。人工軽量土壌層１１内にはＰＦ計１３の検知部が挿入されている。
【００１６】
上記構成からなる本発明の潅水方法について説明する。給水時に池用のコンテナ状容器１に補給された水Ｗは、一定の水位を超えると、通水管５を通って植栽用コンテナ状容器２の下部の人工骨材層９に給水され、これが貯水空間として活用される。降雨による雨水、または池用のコンテナ状容器１から各植栽用のコンテナ状容器２に供給された水は、人工骨材層９に一時的に貯水され、底面潅水方式により植物に必要な水分が過不足なく、人工軽量土壌層１１、畑土等の正常の層１２に供給される。
【００１７】
このとき、人工骨材層９と人工軽量土壌層１１の間には透水性シート１０が設けられているため、間隙を通じての水分の上昇を可能にする一方で、人工軽量土壌が人工骨材層９に侵入するのを防止し、貯水空間の目づまりを防止している。植栽用のコンテナ状容器２の壁面には、人工軽量土壌層１１に溢れた水を排出するためのオーバーフロー排水口６を透水性シート１０の上側に設け、植栽用のコンテナ状容器２への過剰な水供給を防止するようにしている。
【００１８】
また、土壌含水量の把握のため、ＰＦ計１３を設置し、潅水時期の判断の目安としている。潅水にあたっては、ＰＦ値が安定するまで貯水空間に水を溜めておき、一定時間適切なＰＦ値が保たれた時点で、排水口７から余剰な水を抜くようにする。なお、通水管５、オーバーフロー排水口６、排水口７の断面には、水生生物や土壌、骨材が通過するのを防止するためのメッシュを設けている。また、コンテナ状容器１、２の底部にフォークリフト運搬用の溝を設ける場合には、溝により生じる窪みを貯水空間として利用することができる。
【００１９】
図５は、本発明のユニット型ビオトープ用潅水システムの他の実施形態を示す断面図である。なお、上記実施形態と同一の構成については同一番号を付して説明を省略する。
【００２０】
本実施形態は、立体的なビオトープを構築する例を示しており、そのために、池用のコンテナ状容器１の両側に隣接して植栽用のコンテナ状容器２を設置し、植栽用のコンテナ状容器２は支持台１４上に載置し、植栽用のコンテナ状容器２と池用のコンテナ状容器１側の連結部分の壁面高さを合わせるようにしている。また、植栽用のコンテナ状容器２の池用のコンテナ状容器１の反対側の壁面に土留め用の壁部材１５を連結し、人工軽量土壌層１１および畑土層１２が傾斜面になるようにして、立体的なビオトープを構築している。
【００２１】
【発明の効果】
以上の説明から明らかなように本発明によれば、池用のコンテナ状容器への給水のみによってビオトープ全体への潅水が可能であり、潅水の省力化を図ることができる。また、植栽用のコンテナ状容器への底面潅水により個別のコンテナ状容器内に均等に水を供給することができる。さらに、雨水の再利用を可能とし、無駄な水使用を防いだ効率的な潅水を可能とする。
【図面の簡単な説明】
【図１】本発明が適用されるユニット型ビオトープの１例を示す全体斜視図である。
【図２】図１のコンテナ状容器の斜視図である。
【図３】複数の植生用のコンテナ状容器の結合方法を示す斜視図である。
【図４】本発明のユニット型ビオトープ用潅水システムの１実施形態を示す断面図である。
【図５】本発明のユニット型ビオトープ用潅水システムの他の実施形態を示す断面図である。
【符号の説明】
１…池用のコンテナ状容器
２…植栽用のコンテナ状容器
５…通水管
６…オーバーフロー排水口
７…排水口
９…骨材層
１０…透水性シート
１１、１２…土壌層
【図１】
0003975432.tif 000002
【図２】
0003975432.tif 000003
【図３】
0003975432.tif 000004
【図４】
0003975432.tif 000005
【図５】
0003975432.tif 000006